(57)【要約】【課題】表示部に設けられた発光素子の波長を所定の波長差にすることで、赤と緑とが見分けにくい色覚障害を有する人を考慮した全ての使用者にユーザーフレンドリーな表示装置及び画像形成装置を提供する。【解決手段】画像形成装置の操作パネルはスタートキー１、動作モード選択キー２、テンキー３、クリア／ストップ（Ｃ／Ｓ）キー４、ＬＣＤ（Liquid Crystal Display）５から構成される。動作モード選択キー２は、コピー、ファクシミリ、プリンタ、スキャナ等の装置の動作モードを選択するキーである。表示部１０は、透明あるいは半透明の部分の裏面側に緑色の発光素子を内蔵する。発光素子はＬＥＤ等で構成されており（緑ＬＥＤ３３）、その発光波長は５２０ｎｍ〜５３０ｎｍの範囲内のものを使用する。緑ＬＥＤ３３が発光することで、「待機状態あるいは操作可能な状態」を意味する。【選択図】図２
2007328330.tif 000002
【特許請求の範囲】
【請求項１】
装置の状態を報知する表示部と、
前記表示部に内蔵され、所定以上の波長差で互いに異なる波長で点灯する複数の発光素子と、
を備えたことを特徴とする表示装置。
【請求項２】
前記表示部は、
前記装置が待機状態あるいは操作可能な状態であることを示し、前記複数の発光素子のうち第１の発光素子を内蔵する第１の表示部と、
前記装置がジョブ実行中あるいは操作不可の状態であることを示し、前記複数の発光素子のうち第２の発光素子を内蔵する第２の表示部と、
を備えたことを特徴とする請求項１に記載の表示装置。
【請求項３】
前記表示部は、
前記装置の動作モードが選択されたこと及び正常稼動していることを示し、前記複数の発光素子のうち第３の発光素子を内蔵する第３の表示部と、
前記装置の動作モードでエラーが発生していることを示し、前記複数の発光素子のうち第４の発光素子を内蔵する第４の表示部と、
を備えたことを特徴とする請求項２に記載の表示装置。
【請求項４】
前記第１の発光素子及び前記第３の発光素子と、前記第２の発光素子及び前記第４の発光素子は、異なる発光色であること、
を特徴とする請求項３に記載の表示装置。
【請求項５】
前記第１の発光素子及び前記第３の発光素子は、緑色光で点灯すること、
を特徴とする請求項４に記載の表示装置。
【請求項６】
前記第２の発光素子及び前記第４の発光素子は、赤色光で点灯すること、
を特徴とする請求項４に記載の表示装置。
【請求項７】
前記第１の発光素子および前記第３の発光素子の発光波長は、５２０ｎｍ〜５３０ｎｍの範囲内であること、
を特徴とする請求項５に記載の表示装置
【請求項８】
前記第２の発光素子および前記第４の発光素子の発光波長は、６２５ｎｍ〜６３５ｎｍの範囲内であること、
を特徴とする請求項６に記載の表示装置。
【請求項９】
前記第１及び第２の表示部は、近接する位置に設けられていること、
を特徴とする請求項２に記載の表示装置。
【請求項１０】
前記第３及び第４の表示部は、近接する位置に設けられていること、
を特徴とする請求項３に記載の表示装置。
【請求項１１】
請求項１に記載の表示装置を備える画像形成装置。
【発明の詳細な説明】
【技術分野】
【０００１】
本発明は、表示装置及び画像形成装置に関し、特に色覚異常を有する人を考慮した表示装置及び画像形成装置に関する。
【背景技術】
【０００２】
従来から普及しているコンピュータのモニタ装置、携帯端末機器等は、表示画面を備え、文字、イメージ像等がその表示画面に表示される。このような表示装置においては、画面と周囲の相対的な明るさによって表示画面の見え方に変化が生じる。また、画面と周囲（筐体）の相対的な色調によって表示画面の見え方に変化が生じる。このため、同じ表示画面であっても、視野内に捕らえられる筐体から受ける影響が存在し、筐体の種類が異なる場合には表示画面から受ける印象が異なり、画面表示特性、見易さ、作業性等が変動してしまう。
【０００３】
そこで近年、筐体の見え方が表示画面の見え方に与える影響を抑制して、表示画面の見え方を一定に保つことができる表示装置及びその画面調整方法が提案されている。
【０００４】
また、ジョブ処理中に、何度も上部に備えられた操作パネルを確認しなくとも、給紙カセットの前面等下部に搬送状態表示灯を設け、手間を省く画像形成装置が提案されている。表示灯はＬＥＤを用いている。この他、複写機等の画像形成装置の操作パネルも、ＬＥＤ等の発光素子を使って表示していた。例えば、装置が待機状態あるいは操作可能な状態を緑色のＬＥＤ、ジョブ実行中あるいは操作不可の状態を赤色のＬＥＤ、としていた。
【０００５】
【特許文献１】特開２００４−４５４６６号公報
【特許文献２】特開２００５−２９２４５９号公報
【発明の開示】
【発明が解決しようとする課題】
【０００６】
ここで、赤と緑とが見分けにくいタイプの色覚異常は、日本では男性の２０人に１人、女性の５００人に１人、日本全体では３００万人以上いるといわれている。世界では２億人を超える人数が色覚障害を有しているといわれている。一方、色覚障害は先天的なものだけでなく、加齢によっても生じ、赤と緑の識別力は７０歳代で低下し、青と黄色の識別力は６０歳代で低下するともいわれている。このように、高齢化社会になるにしたがって色覚障害への対策（色覚に関するバリアフリー対策）は重要となる。
【０００７】
しかしながら、従来の画像形成装置の操作パネルは、装置が待機状態あるいは操作可能な状態か、ジョブ実行中あるいは操作不可の状態かを、同じ場所（表示部）で切り替えて表示するものであり、色覚異常を有している人達にとって色の判別がし難いという問題があった。
【０００８】
本発明は、以上のような点に鑑みてなされたもので、発光素子の波長を所定の波長差にすることで、赤と緑とが見分けにくい色覚障害を有する人を考慮し、全ての使用者にユーザーフレンドリーな表示装置及び画像形成装置を提供することを目的とする。
【課題を解決するための手段】
【０００９】
請求項１に記載の発明は、装置の状態を報知する表示部と、前記表示部に内蔵され、所定以上の波長差で互いに異なる波長で点灯する複数の発光素子と、を備えたことを特徴とする。
【００１０】
請求項２に記載の発明は、請求項１に記載の装置において、前記表示部は、前記装置が待機状態あるいは操作可能な状態であることを示し、前記複数の発光素子のうち第１の発光素子を内蔵する第１の表示部と、前記装置がジョブ実行中あるいは操作不可の状態であることを示し、前記複数の発光素子のうち第２の発光素子を内蔵する第２の表示部と、を備えたことを特徴とする。
【００１１】
請求項３に記載の発明は、請求項２に記載の装置において、前記表示部は、前記装置の動作モードが選択されたこと及び正常稼動していることを示し、前記複数の発光素子のうち第３の発光素子を内蔵する第３の表示部と、前記装置の動作モードでエラーが発生していることを示し、前記複数の発光素子のうち第４の発光素子を内蔵する第４の表示部と、を備えたことを特徴とする。
【００１２】
請求項４に記載の発明は、請求項３に記載の装置において、  前記第１の発光素子及び前記第３の発光素子と、前記第２の発光素子及び前記第４の発光素子は、異なる発光色であること、を特徴とする。
【００１３】
請求項５に記載の発明は、請求項４に記載の装置において、前記第１の発光素子及び前記第３の発光素子は、緑色光で点灯すること、を特徴とする。
【００１４】
請求項６に記載の発明は、請求項４に記載の装置において、前記第２の発光素子及び前記第４の発光素子は、赤色光で点灯すること、を特徴とする。
【００１５】
請求項７に記載の発明は、請求項５に記載の装置において、前記第１の発光素子および前記第３の発光素子の発光波長は、５２０ｎｍ〜５３０ｎｍの範囲内であること、を特徴とする。
【００１６】
請求項８に記載の発明は、請求項６に記載の装置において、前記第２の発光素子および前記第４の発光素子の発光波長は、６２５ｎｍ〜６３５ｎｍの範囲内であること、を特徴とする。
【００１７】
請求項９に記載の発明は、請求項２に記載の装置において、前記第１及び第２の表示部は、近接する位置に設けられていること、を特徴とする。
【００１８】
請求項１０に記載の発明は、請求項３に記載の装置において、前記第３及び第４の表示部は、近接する位置に設けられていること、を特徴とする。
【００１９】
請求項１１に記載の発明は、請求項１に記載の表示装置を備える画像形成装置であることを特徴とする。
【発明の効果】
【００２０】
本発明によれば、色覚障害を考慮し、表示部の発光素子の発光波長を所定以上の波長差
にすることにより、全ての使用者が使いやすい表示装置及び画像形成装置を提供すること
ができる。
【発明を実施するための最良の形態】
【００２１】
以下に、本発明の実施形態に係る表示装置及び画像形成装置を、図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２２】
図１は、本発明の実施形態に係る画像形成装置の操作パネルの外観図である。スタートキー１、動作モード選択キー２、テンキー３、クリア／ストップ（Ｃ／Ｓ）キー４、ＬＣＤ（Liquid Crystal Display）５から構成される。スタートキー１は、動作モード選択キー２によって選択された装置の動作を開始するキーである。動作モード選択キー２は、コピー、ファクシミリ、プリンタ、スキャナ等の装置の動作モードを選択するキーである。本実施形態では、例としてスタートキー１及び動作モード選択キー２が、装置状態表示部（図２及び図５に示す表示部１０、１１、２０、２１）を備える。
【００２３】
図２は、本発明の実施形態に係るスタートキー１の拡大図である。図中の表示部１０は、透明あるいは半透明の部分の裏面側（下）に緑色の発光素子を内蔵（配置）する。発光素子はＬＥＤ等で構成されており（図８に示す緑ＬＥＤ３３）、その発光波長（発行波長）は５２０ｎｍ〜５３０ｎｍの範囲内のものを使用する。表示部１０が発光することで、「待機状態あるいは操作可能な状態」を意味する。図３に、本実施形態に係る表示部１０（スタートキー１）が発光している場合の一例を示す。緑ＬＥＤ３３（発光素子）の光が見える部分は斜線で表す。
【００２４】
一方、図２に示す表示部１１は、透明あるいは半透明の部分の下に赤色の発光素子を内蔵する。発光素子はＬＥＤ等で構成されており（図８に示す赤ＬＥＤ３２）、その発光波長は６２５ｎｍ〜６３５ｎｍの範囲内のものを使用する。表示部１１が発光することで、「ジョブ実行中あるいは操作不可の状態」を意味する。図４に、本実施形態に係る表示部１１（スタートキー１）が発光している場合の一例を示す。赤ＬＥＤ３２（発光素子）の光が見える部分は点描で表す。
【００２５】
図５は、本発明の実施形態に係る動作モード選択キー２の中のコピーキーを示す図である。表示部２０は、透明あるいは半透明の部分の下に緑色の発光素子を配置する。発光素子はＬＥＤ等で構成されており（緑ＬＥＤ３３）、その発光波長は５２０ｎｍ〜５３０ｎｍの範囲内のものを使用する。表示部２０が発光することで、「その動作モード（本実施形態では「コピー」動作）が選択されていること、及び正常稼動している状態」を意味する。図６に、本実施形態に係る表示部２０（動作モード選択キー２）が発光している場合の一例を示す。緑ＬＥＤ３３の光が見える部分は斜線で表す。
【００２６】
一方、図５に示す表示部２１は、透明あるいは半透明の部分の下に赤色の発光素子を配置する。発光素子はＬＥＤ等で構成されており（赤ＬＥＤ３２）、その発光波長は６２５ｎｍ〜６３５ｎｍの範囲内のものを使用する。表示部２０が発光することで、「その動作モードでエラーが発生している状態」を意味する。図７に、本実施形態に係る表示部２１（動作モード選択キー２）が発光している場合の一例を示す。赤ＬＥＤ３２の光が見える部分は点描で表す。
【００２７】
上記実施形態により、どの動作モード（コピー、ファクシミリ、プリンタ、スキャナ）でエラーが起きているのか容易に把握することが出来る。また、色覚障害者でも判別しやすい所定以上の波長差にＬＥＤを設定しているため、判断し難いということがなくなる。なお、本実施形態では、コピーキーを例に挙げたが、図１に示すファクシミリキー、プリンタキー、スキャナキー等ほかの動作モード選択キーでも同じ構成である。
【００２８】
以下に、本発明の実施形態に係る操作パネルの動作処理について図８及び図９を用いて説明する。図８は、本実施形態に係る操作パネルの構成ブロック図である。本体制御部３０はコピー、ファクシミリ、プリンタ、スキャナ等の装置の動作を制御する。操作制御部３１は、ＣＰＵ３４、ＲＯＭ３５、ＲＡＭ３６、ＩＯ制御部３７から構成される。ＣＰＵ３４は、操作制御部３１の全体を制御する。ＲＯＭ３５は、ＣＰＵ３４を動作させるためのプログラムを格納する。ＲＡＭ３６は、ＲＯＭ３５に格納されたプログラム（各制御モジュール）が使用するワーク領域となる。ＩＯ制御部３７は、スタートキー１または動作モード選択キー２の下に配置された赤ＬＥＤ３２、緑ＬＥＤ３３に対しての点灯駆動を行なう。操作制御部３１は、本体制御部３０とシリアル通信により接続され、操作制御部３１のＣＰＵ３４は本体制御部３０から状態信号を受信する。この状態信号により、動作の可否（待機状態か操作可能な状態か、あるいはジョブ実行中あるいは操作不可の状態）等を判断して、ＩＯ制御部３７が赤ＬＥＤ３２又は緑ＬＥＤ３３を点灯させる。尚、図９の中では、ＣＰＵ３４とＲＯＭ３５、ＲＡＭ３６、ＩＯ制御部２７の間における状態信号等のアドレスの指定をアドレス線によって行い、データの受け渡しをデータ線によって行うことを示している。
【００２９】
図９は、本実施形態に係る操作パネルのスタートキー１または動作モード選択キー２が内蔵する赤ＬＥＤ３２又は緑ＬＥＤ３３を点灯させる際の動作制御を示すフローチャートである。まず、ＣＰＵ３４は、本体制御部３０より装置の状態信号を受信する（ステップＳ１）。次にＣＰＵ３４は、受信した状態信号から装置の動作の可否を判断する（ステップＳ２）。そして、装置が定着のウォームアップ待ち、用紙、トナー等が無い、等のイベントが発生していて、動作可でない状態（ジョブ実行中あるいは操作不可の状態）と判断したときは（ステップＳ２／Ｎｏ）、その旨の信号をＩＯ制御部３７に送信し、ＩＯ制御部３７は、赤ＬＥＤ３２を点灯させる（ステップＳ３）。
【００３０】
一方、ＣＰＵ３４は、装置に不具合等が発生しておらず動作可の状態（待機状態あるいは操作可能な状態）と判断した場合には（ステップＳ２／Ｙｅｓ）、その旨の信号をＩＯ制御部３７に送信し、ＩＯ制御部３７は、緑ＬＥＤ３３を点灯させる（ステップＳ４）。
【００３１】
なお、操作制御部３１は、図９に示すフローチャートに係る動作制御を１００ｍｓ〜５００ｍｓ等の所定の周期で実行し続けることにより、装置の状態信号の変化に応じて、適宜本体装置の状態に合わせた点灯（赤ＬＥＤ３２又は緑ＬＥＤ３３）を行なうことが出来、操作者に対して随時本体装置の状態を知らせることができる。
【００３２】
また、赤ＬＥＤ３２と緑ＬＥＤ３３の発光波長を、色覚障害者でも判別しやすい所定以上の波長差に設定することが考え得る。具体的には、赤ＬＥＤ３２の発光波長を６２５ｎｍ〜６３５ｎｍ、緑ＬＥＤ３３の発光波長を５２０ｎｍ〜５３０ｎｍとする。これにより、スタートキー１の表示部１０、１１等が内蔵する「動作可の状態」を示す緑色のＬＥＤと、「動作可でない状態」を示す赤色のＬＥＤが近接して、あるいは同じ位置に設けられるような場合においても、識別可能となる。また、逆に色覚障害の無い操作者に対しても、赤色、緑色は認識可能な波長範囲なので操作する上で違和感無く操作可能となる。
【００３３】
なお、上記いずれの実施形態においても、「待機状態あるいは操作可能な状態」を表す表示部１０、「ジョブ実行中あるいは操作不可の状態」を表す表示部１１、「その動作モードが選択されていること、及び正常稼動している状態」を表す表示部２０、「その動作モードでエラーが発生している状態」を表す表示部２１を、キーの内部に内蔵（構成）した例を挙げたが（例えば図２、図５）、本発明はこれのみに限定されるものではない。例えばキーの外側に別途表示部を設ける等、適宜変更できる。
【００３４】
また、上記実施形態に係る表示部では、ＬＥＤを例に挙げたが、本発明はこれのみに限定されるものではなく、例えば液晶表示部や、有機ＥＬ（organic  electroluminescence）、蛍光表示管等、適宜変更できる。
【００３５】
上記実施形態により、装置の状態や動作モードの状態について知らせるために表示する表示部の発光素子の発光波長を所定以上の波長差にすることにより、全ての使用者が使いやすい装置を提供することができる。
【図面の簡単な説明】
【００３６】
【図１】本発明の実施形態に係る画像形成装置の操作パネルの外観図である。
【図２】本発明の実施形態に係るスタートキー１の拡大図である。
【図３】本発明の実施形態に係るスタートキー１の表示部１０が発光している場合の一例を示す図である。
【図４】本発明の実施形態に係るスタートキー１の表示部１１が発光している場合の一例を示す図である。
【図５】本発明の実施形態に係る動作モード選択キー２を示す図である。
【図６】本発明の実施形態に係る動作モード選択キー２の表示部２０が発光している場合の一例を示す図である。
【図７】本発明の実施形態に係る動作モード選択キー２の表示部２１が発光している場合の一例を示す図である。
【図８】本発明の実施形態に係る操作パネルの構成ブロック図である。
【図９】本発明の実施形態に係る操作パネルのスタートキー１または動作モード選択キー２が内蔵する赤ＬＥＤ３２又は緑ＬＥＤ３３を点灯させる際の動作制御を示すフローチャートである。
【符号の説明】
【００３７】
１    スタートキー
２    動作モード選択キー
３    テンキー
４    クリア／ストップ（Ｃ／Ｓ）キー
５    ＬＣＤ（Liquid Crystal Display）
１０、１１、２０、２１    表示部
３１    操作制御部
３２    赤ＬＥＤ
３３    緑ＬＥＤ
３４    ＣＰＵ
３５    ＲＯＭ
３６    ＲＡＭ
３７    ＩＯ制御部
【図１】
2007328330.tif 000003
【図２】
2007328330.tif 000004
【図３】
2007328330.tif 000005
【図４】
2007328330.tif 000006
【図５】
2007328330.tif 000007
【図６】
2007328330.tif 000008
【図７】
2007328330.tif 000009
【図８】
2007328330.tif 000010
【図９】
2007328330.tif 000011